(57)【要約】【課題】リード線の引出し部での冷気の漏洩を最小限に食い止め、かつ、引出し部でリード線の絶縁被覆の剥離や断線のないブッシングを提供する。【解決手段】外殻１１と内殻１２との間に断熱材１３を充填した断熱壁１４に貫通孔１５を穿設し、該貫通孔１５に管体１６を嵌入したリード線引出し孔１７に嵌め入れるブッシング２０において、エラストマーを材料とする套管２２の端部にフランジ２１を設け、上記套管２２が上記リード線引出し孔１７に嵌まる部分の中心軸方向に、間隔をあけて複数の鰭２４を設けた構成としたもので、上記套管２２がリード線引出し孔１７に嵌まる部分の外周に複数の環状リブ２５を設け、上記ブッシング２０を、フランジ２１の外周部分の一か所で繋がり部２７を残して二分割し、二分割した揺動側対向面に太柄２８と太柄孔２９を設けたものである。【選択図】  図１
2004190880.tif 000002
【特許請求の範囲】
【請求項１】
外殻と内殻との間に断熱材を充填した冷蔵庫の断熱壁に貫通孔を穿設し、該貫通孔に管体を嵌入したリード線引出し孔に嵌め入れるブッシングにおいて、エラストマーを材料とする套管の端部にフランジを設け、上記套管が上記リード線引出し孔に嵌まる部分の中心軸方向に、間隔をあけて複数の鰭を設けたことを特徴とする試験用冷蔵庫のリード線ブッシング。
【請求項２】
上記套管がリード線引出し孔に嵌まる部分の外周に複数の環状リブを設けたことを特徴とする請求項１に記載の試験用冷蔵庫のリード線ブッシング。
【請求項３】
上記ブッシングを、フランジの外周部分の一か所で連なるように二分割し、二分割した揺動側対向面に太柄と太柄孔を設けたことを特徴とする請求項１または２に記載の試験用冷蔵庫のリード線ブッシング。
【発明の詳細な説明】
【０００１】
【発明の属する技術分野】
この発明は、リード線のサイズに係わりなく冷気の漏洩を最小限にして、リード線を引き通し易くした試験用冷蔵庫のリード線ブッシングに関する。
【０００２】
【従来の技術】
冷蔵庫のリード線引出しに関するものとして特許文献１がある。
【０００３】
【特許文献１】
特開平６−１４７７３８号公報（要約および図１）
【０００４】
上記特許文献１は、リード線４および接続器５を具備した電装部品３と、この電装部品３を取り付ける内箱１と、外箱２と、両箱間１、２に位置し電装部品３の接続器５と結線する接続器１２とリード線１１と、両箱１、２に位置し内箱１側に取り付け結線した各接続器５、１２と各リード線４、１１を収納する収納箱８と、両箱間１、２に充填する発泡断熱材１６と、前記内箱１の収納箱８の略中央位置へ可動片１０を形成する切り欠き孔９を備えたものである。
【０００５】
また、試験・研究用の冷蔵庫（低温槽）のリード線の引出しの実例としては、図４に示すように断熱壁４４にリード線引出し用の孔４６を設け、該孔４６にブッシング５０を嵌め入れ、比較的太いリード線５６ａ  については、ブッシング５０の中心孔に通しているが、細いリード線５６ｂ  の場合は同図（ｂ）のように、断熱壁４４に設けた線引出し用の孔４６とブッシング５０との間にリード線５６ｂ  を引き通している。
【０００６】
【発明が解決しようとする課題】
上記特許文献１の技術は要するに、接続器とリード線とを収納箱に納め易くするために上下に平行な水平の切り欠き、その切り欠きの中央を結ぶ垂直の切り欠きを設けて可動片のある出入れ部分を設けたものであって、リード線を引き通す部分で冷気が漏洩しないようにする思想はない。
【０００７】
また、図４に示す従来技術では冷蔵庫内の冷気漏洩の防止効果は不十分であり、断熱壁に設けたリード線の引出し用孔とブッシングとの間に細いリード線を引き通した場合、絶縁被覆の剥離あるいは断線の恐れがある。
【０００８】
試験・研究用の冷蔵庫は、冷蔵庫内に試験試料を置き、低温環境下での試験試料の特性変化等を各種変換器により電流、電圧、抵抗変化等に変換して取り出すために断熱壁からリード線を引出し計測器に接続する。
【０００９】
上記リード線の引出しにおいて、冷気の漏洩があると安定した試験結果が得られず、絶縁被覆の剥離あるいは断線などのないように注意する必要がある。
【００１０】
上記に鑑みこの発明は、試験・研究用冷蔵庫のリード線引出しにおいて、リード線の引出し部での冷気の漏洩を最小限に食い止め、かつ、引出し部でリード線の絶縁被覆の剥離や断線のないブッシングを提供することを課題とする。
【００１１】
【課題を解決するための手段】
上記課題を解決するためにこの発明は、外殻と内殻との間に断熱材を充填した冷蔵庫の断熱壁に貫通孔を穿設し、該貫通孔に管体を嵌入したリード線引出し孔に嵌め入れるブッシングにおいて、エラストマーを材料とする套管の端部にフランジを設け、上記套管が上記リード線引出し孔に嵌まる部分の中心軸方向に、間隔をあけて複数の鰭を設けた（請求項１）構成としたもので、上記套管がリード線引出し孔に嵌まる部分の外周に複数の環状リブを設け（請求項２）、上記ブッシングを、フランジの外周部分の一か所で連なるように二分割し、二分割した揺動側対向面に太柄と太柄孔を設けた（請求項３）構成としたものである。
【００１２】
上記の如く構成するこの発明によれば、ブッシング内に間隔をおいて鰭を設けることによりリード線が細くても、太くても該鰭がリード線に密着し、間隔が開いていることにより空気断熱層が形成されて冷気の漏洩を最小限に抑えることができる。また、套管の外周に環状リブを設けることにより断熱壁に穿設した貫通孔との密接・断熱状態が向上し、これも冷気の漏洩防止効果が得られ、ブッシングを一か所で連なるように二分割することによりリード線の引き通しが容易になる。
【００１３】
【発明の実施の形態】
次にこの発明の実施形態を図１，図２を参照しながら説明する。外殻１１と内殻１２との間に発泡ウレタン樹脂組成物（断熱材）１３を充填した冷蔵庫１０の断熱壁１４に貫通孔１５が穿設され、この貫通孔１５に管体１６を嵌めてリード線引出し孔１７とし、このリード線引出し孔１７の外殻側・内殻側の両方からブッシング２０が嵌め込まれている。
【００１４】
上記ブッシング２０は、発泡エラストマーの成形体で、片端に断面台形のフランジ２１が、それに続いて套管２２が一体に成形され、フランジ２１と套管２２の内部には間隔をあけて空洞２３と鰭２４が設けられ、套管２２の外周には環状リブ２５が設けられており、上記ブッシング２０は、フランジ２１の一か所で繋がれた状態で二分割されている。
【００１５】
上記のブッシング２０を用いてリード線２６を引き出すときは、ブッシング２０をフランジ２１の繋がり部２７をヒンジのようにして二分割（開き）し、鰭２４部分にリード線２６を位置させて挟み込み、この状態で該ブッシング２０をリード線引出し孔１６に押し込み、反対側も同様にしてブッシング２０を押し込む。なお、反対側のリード線引出し孔にブッシングを押し込むときは、リード線が手繰れないように引張りながら行う。
【００１６】
フランジ２１の揺動側対向面には、太柄（だぼ）２８と太柄孔２９が設けられ、互いに嵌まり合ってずれないようになっている。
【００１７】
図３は、冷蔵庫１０の内部に試験試料３０を置き、図示しない変換器を経てリード線２６が延び、冷蔵庫１０の断熱壁１４でこの発明に係るブッシング２０を介在させてリード線２６が引き出される。
【００１８】
上記ブッシングの素材として発泡エラストマーとしたが具体的にはシリコンゴム、発泡シリコンゴム、ＥＶＡなどを採用することができる。
【００１９】
なお、ブッシングの套管部分のリブの溝底径をＤ、空洞の内径Ｄ１  、鰭の幅Ｗ１  、リブの幅Ｗ２  、リブの高さＨとしたとき、Ｄ１  が大きくなりすぎるとリード線の把持力が弱くなり、小さいときは鰭がリード線に添わなくなる。Ｗ１  が大きくなり過ぎると鰭がリード線に添わなくなり、小さいときはリード線の把持力が弱くなる。Ｗ２  が大き過ぎるとブッシングが嵌め難くなり、小さいときはブッシングの嵌め合いが弱くなる。Ｈが大き過ぎるとブッシングの嵌め合いが弱くなり、小さいときはブッシングが嵌め難くなるので、実験的に最適のサイズを選択する。
【００２０】
【発明の効果】
以上説明したようにこの発明によれば、試験・研究用冷蔵庫の使用に際して、リード線の引出し部で冷気の漏洩を最小限にすることができ、それによって測定結果が安定し、リード線引出しが容易になり、リード線の絶縁被覆の剥離や断線の心配がなくなった。
【図面の簡単な説明】
【図１】この発明に係るブッシングの（ａ）使用前の斜視図、（ｂ）使用状態の断面図
【図２】（ａ）同ブッシングを開いた状態の平面図、（ｂ）同正面図
【図３】同ブッシングの使用状態説明図
【図４】従来例の（ａ）太いリード線の、（ｂ）細いリード線の引出し状態の断面図
【符号の説明】
１０  冷蔵庫
１１  外殻
１２  内殻
１３  断熱材
１４  断熱壁
１５  貫通孔
１６  管体
１７  リード線引出し孔
２０  ブッシング
２１  フランジ
２２  套管
２３  空洞
２４  鰭
２５  リブ
２６  リード線
２７  繋がり部
２８  太柄
２９  太柄孔
３０  試験試料
【図１】
2004190880.tif 000003
【図２】
2004190880.tif 000004
【図３】
2004190880.tif 000005
【図４】
2004190880.tif 000006